(57)【要約】少なくとも第１モバイルデバイス及び第２モバイルデバイスに接続された通信システムを使用するための方法及び通信システムが開示される。通信システムは、少なくとも第１動作状態及び第２動作状態において動作可能であり、通信システムの第１モバイルデバイスへの接続は第１動作状態において優先順位づけされ、通信システムの第２モバイルデバイスへの接続は第２動作状態において優先順位づけされる。
2013521182.tif 000002
【特許請求の範囲】
【請求項１】
少なくとも第１モバイルデバイス及び第２モバイルデバイスに接続された通信システムを使用する方法であって、
前記通信システムは、少なくとも第１動作状態及び第２動作状態において動作可能であり、
前記通信システムの前記第１モバイルデバイスへの接続は前記第１動作状態において優先順位がつけられ、
前記通信システムの前記第２モバイルデバイスへの接続は前記第２動作状態において優先順位がつけられる方法。
【請求項２】
前記通信システムは車載通信システムである、請求項１に記載の方法。
【請求項３】
前記通信システムの前記動作状態に依存する前記モバイルデバイスの優先順位づけは、前記通信システム及び前記モバイルデバイスを使用することによって自動的に定義される、請求項２に記載の方法。
【請求項４】
前記モバイルデバイスの優先順位づけは、前記車両が実際に使用しているユーザに依存する、請求項２に記載の方法。
【請求項５】
前記動作状態は、前記車両の運転条件に応じて変更される、請求項２に記載の方法。
【請求項６】
前記動作状態は、ユーザが入力した情報に応じて変更される、請求項２に記載の方法。
【請求項７】
前記動作状態は、通信事象に応じて又は前記モバイルデバイスの一つの動作条件に応じて動作状態が変更される、請求項２に記載の方法。
【請求項８】
少なくとも第１モバイルデバイス及び第２モバイルデバイスに接続可能な通信システムであって、
前記通信システムは、少なくとも第１動作状態及び第２動作状態において動作可能であり、
前記通信システムの前記第１モバイルデバイスへの接続は前記第１動作状態において優先順位がつけられ、
前記通信システムの前記第２モバイルデバイスへの接続は前記第２動作状態において優先順位がつけられる通信システム。
【請求項９】
前記通信システムは車載通信システムである、請求項８に記載の通信システム。
【請求項１０】
前記車載通信システムは前記車両に固定的にビルトインされる、請求項９に記載の通信システム。
【請求項１１】
前記車載通信システムは、相手先商標製品製造業者（ＯＥＭ）によって車両に固定的にビルトインされる、請求項９に記載の通信システム。
【請求項１２】
前記車両を操縦している間に通信を行い及び／又は娯楽を楽しむための請求項８に記載の通信システムの使用。
【請求項１３】
前記車両を操縦している間に通信を行い及び／又は娯楽を楽しむための請求項９に記載の通信システムの使用。
【発明の詳細な説明】
【技術分野】
【０００１】
本発明は、複数のモバイルデバイスに接続された通信システムを使用する方法に関し、特に自動車内の通信システム（車載通信システム）を使用する方法に関する。本発明はまた、通信システム、特に車載通信システム、及び当該通信システムの、特に車両内での使用に関する。
【背景技術】
【０００２】
車両は、車載制御システムのような、ユーザインターフェイスにより制御されるいくつかのサブシステムを含む。当該車載制御システムは、モバイルデバイスが当該車両のシステムに接続できるようにするべく、一層多くの通信インターフェイス又は通信モジュールを含むようになっている。当該モバイルデバイスの例は、メディアプレーヤ、携帯電話、ポータブル型ハンドヘルドコンピュータ、パーソナルデジタルアシスタント、スマートフォン、ナビゲーションデバイス外部データ格納デバイス等のハンドヘルド／モバイルデバイスを含む。
【０００３】
車載システム、特に車載通信システム、に接続可能なモバイルデバイスの数が増えるにつれて、当該通信デバイスの使用及びその車載通信システムへの接続を正確に制御することが一層難しくなっている。複数のデバイスから一つの携帯電話を選択する一つのアプローチが特許文献１に記載されている。
【０００４】
問題は、車両運転者、すなわちモバイルデバイス及び外部コンテンツのユーザがますます、当該モバイルデバイスにおいて使用される機能及び／又はアプリケーションを制御することができないか又は法律により許可されないようになっていることにある。このような外部コンテンツの使用は、ユーザ／運転者の交通条件に対する注意深さを減らすこととなり得る。これは望ましいことではない。
【０００５】
したがって、運転中の安全レベル又は運転者の注意深さのレベルを過度に減らすことがないように、車載通信システムに接続されたモバイルデバイスを制御及び使用する可能性を許容する解決策を与える必要がある。
【先行技術文献】
【特許文献】
【０００６】
【特許文献１】米国特許第７，０３１，６５９号明細書
【発明の概要】
【０００７】
当該問題は本発明により解決される。本発明は、少なくとも第１モバイルデバイス及び第２モバイルデバイスに接続された通信システムを使用する方法を与える。当該通信システムは、少なくとも第１動作状態及び第２動作状態において動作可能である。当該通信システムの第１モバイルデバイスへの接続は第１動作状態において優先順位がつけられる。当該通信システムの第２モバイルデバイスへの接続は第２動作状態において優先順位がつけられる。
【０００８】
本発明によれば有利なことに、モバイルデバイスが既に優先順位をつけられているので一層単純な態様で、通信システムに接続されたモバイルデバイスを使用することができる。本発明のコンテキストにおいて、優先順位をつけることとは、通信システムを特定の方法又は特定の動作状態で使用している場合に、当該通信システムに接続された複数のモバイルデバイスの一つを選択することを意味する。当該動作状態は例えば、電話をかけるための通信システム及び／又はモバイルデバイスの使用；電話を受けるための通信システム及び／又はモバイルデバイスの使用；モバイル通信の標準による電子メール、ＳＭＳ（ショートメッセージシステム）、又はＭＭＳ（マルチメディアメッセージシステム）のようなメッセージを送信し又は書くための通信システム及び／又はモバイルデバイスの使用；ナビゲーションタスクを行うための通信システム及び／又はモバイルデバイスの使用；音楽等のオーディオ及び／又はビデオ及び／又はマルチメディアコンテンツを視聴するための通信システム及び／又はモバイルデバイスの使用；金融取引を行うための通信システム及び／又はモバイルデバイスの使用を含むがこれらに限られない。
【０００９】
通信システムとモバイルデバイスとの間の通信は、有線又は無線の通信手段を使用して可能となる。本発明によれば、無線通信手段は、ブルートゥース（登録商標）通信プロトコル、ＩＥＥＥ８０２．１Ｉｘ通信プロトコル等の無線通信技術が好ましい。
【００１０】
本発明によれば、通信システムは車載通信システムであることが好ましい。これにより、車両内及び特に当該車両の運転中に通信システム及び当該通信システムに接続されたモバイルデバイスを使用することができる。特に、本発明によれば、車両運転者は、通信システム及びこれに接続されたモバイルデバイスを、当該通信システム及び接続モバイルデバイスを制御するのに注意深さがそれほど必要とされないような複雑さが低減された方法で使用することができる。
【００１１】
モバイルデバイスの優先順位づけは、例えば、第１動作状態において第１優先順位を有するモバイルデバイス（例えば第１モバイルデバイス）を選択することによって、第２動作状態において第１優先順位を有するモバイルデバイス（潜在的に異なる、例えば第２の、モバイルデバイス）を選択することによって、及び第３動作状態において第１優先順位を有するモバイルデバイス（潜在的に異なる、例えば第３の、モバイルデバイス）を選択することによってというように、当該通信システムへのユーザ入力手段によって変更若しくは適合又は初期設定ができる。優先順位がつけられたモバイルデバイスの変更若しくは適合又は初期定義は例えば、通信システムのファンクションメニューのメニュー構造によって与えることができる。代替的に、本発明によれば、通信システム及びモバイルデバイスを使用することによってモバイルデバイスの優先順位づけを自動的に定義することができるか又は当該通信システムが一つの又は複数の動作状態においてモバイルデバイスの優先順位づけを提案することができる。優先順位づけの情報に加え、ＭＡＣアドレス（Medium Access Control address）又は識別情報のようなさらなる情報を、当該通信システムに関連づけられた又は統合されたメモリデバイスに格納することができる。
【００１２】
これにより有利なことに、特定の動作状態に対応するモバイルデバイスの優先順位づけを定義することにおいて、ユーザ相互作用を必ずしも必要としないことができるか又はユーザ相互作用を減らすことができる。例えば、特定のモバイルデバイス（通信システムに接続された又は接続可能な複数のモバイルデバイスのうち）が、特定の動作状態に関して繰り返しかつ主に使用されている場合（例えば、携帯電話通信又はメッセージ交換に対して特定の携帯電話が使用されるのが好ましい）、通信システムは、当該特定の動作状態に関して当該特定のモバイルデバイスに優先順位をつけることを提案することができる。
【００１３】
本発明によれば、当該優先順位づけが、当該車両が実際に使用しているユーザに応じて変更されるのが好ましい。例えば２人の異なるユーザが当該車両を使用し及び当該車両に、例えばキー等のエントリ及び／又は識別デバイスによってアクセスする場合、有利なことに、当該車両を使用するのが一人目のユーザか又は２人目のユーザかに応じて当該モバイルデバイスの異なる優先順位づけができる。ユーザ（当該例では２人のユーザ）の誰が現在当該車両を（例えば運転者として）使用しているのかという情報が、例えば当該エントリデバイス及び／又は識別デバイスによって（例えば個人ごとのキー又はＩＤカードによって）及び／又はユーザを識別するバイオメトリックセンサによって、当該通信システムに自動的に送信される。代替的に、ユーザ（当該例では２人のユーザ）の誰が現在当該車両を使用しているのかという情報は、個々のユーザが当該通信システムに入力することができる。
【００１４】
さらに、本発明によれば、車両運転条件に応じて動作状態が変更されるのが好ましい。
【００１５】
これにより有利なことに、潜在的に危険な車両条件の場合、例えば、メッセージが車両警告システムにより生成され、当該メッセージのコンテンツを運転者が実際に認識している可能性があるという態様で表示される場合、運転者が警告を受けることができる。
【００１６】
本発明によればまた、ユーザが入力した情報に応じて動作状態が変更されるのが好ましい。
【００１７】
これにより有利なことに、ユーザは動作状態を、例えばナビゲーションタスクを行うことからＭＰ３プレーヤのようなモバイルデバイスの一つによりオーディオソースをかけることに、変更することができる。
【００１８】
さらに、本発明によれば、通信事象に応じて又はモバイルデバイスの一つの動作条件に応じて動作状態が変更されるのが好ましい。
【００１９】
これにより有利なことに、先に定義された（優先順位がつけられた）モバイルデバイスが好ましい態様で使用されるべく選択されるように、例えば電話の着信及び／又はメッセージ若しくは電子メールの着信という事象が、通信システムの動作状態を切り替えることができる。
【００２０】
本発明はまた、少なくとも第１モバイルデバイス及び第２モバイルデバイスに接続可能な通信システムに関する。当該通信システムは、少なくとも第１動作状態及び第２動作状態において動作可能である。当該通信システムの第１モバイルデバイスへの接続は第１動作状態において優先順位がつけられる。当該通信システムの第２モバイルデバイスへの接続は第２動作状態において優先順位がつけられる。
【００２１】
本発明によれば、通信システムは車載通信システムであることが好ましく、当該車載通信システムは車両に固定的にビルトインされることが好ましい。
【００２２】
本発明によれば、車載通信システムはまた、相手先商標製品製造業者（ＯＥＭ）によって車両に固定的にビルトインされることが好ましい。
【００２３】
さらに、本発明はまた、車両を操縦している間に通信を行い及び／又は娯楽を楽しむための本発明に係る通信システムの使用に関する。
【００２４】
特に、本発明によれば有利なことに、車両の通信システム及び関連又は接続モバイルデバイスを、当該車両の交通状況からさほど気が散らされることのない態様で使用することができる。
【００２５】
本発明は、添付図面と組み合わせることで以下の詳細な説明から十分に理解される。同じ参照番号は同じ要素を言及する。
【図面の簡単な説明】
【００２６】
【図１】車載通信システムを含む自動車の斜視図を示す。
【図２】車載通信システム及び複数のモバイルデバイスの正面図を示す。
【図３】当該通信システムの異なる動作状態に関する当該モバイルデバイスの優先順位づけについての情報を含む可能な異なるディスプレイ画面コンテンツを示す。
【発明を実施するための形態】
【００２７】
本アプリケーションを詳細に例示する図面を参照する前に、本アプリケーションが、以下に記載され又は図面に例示される詳細又は方法論に限られるわけではないことを理解されたい。また、本明細書で用いられる言葉づかい及び専門用語は、記載のみを目的とするものであって、本発明の範囲を制限するものと認めてはならないことを理解されたい。
【００２８】
図１を参照すると、車両１００は、車載通信システム１０６（例えば、メディアシステム、ナビゲーションシステム、娯楽システム、ディスプレイシステム、制御システム等）を含む。車載通信システム１０６は、表示手段等のユーザ相互作用手段を含むのが好ましい。
【００２９】
図２を参照すると、車載通信システム１０６が所定数のモバイルデバイス１２１、１２２、１２３、１２４とともに示される。車載通信システム１０６は、表示手段１０８（出力ディスプレイとも称する）、及び好ましくは一以上のノブ又は入力手段、及び／又は一以上のプッシュボタン、及び／又は一以上の触覚ユーザ入力若しくはプッシュボタンを含む。これらは、様々な車両機能の制御を容易にする。出力ディスプレイ１０８は、車両機能の制御に関するデータを表示するべく構成される。出力ディスプレイ１０８は、タッチ画面ディスプレイ又は他の任意の非タッチセンシティブディスプレイである。出力ディスプレイ１０８は、任意の技術（例えばＬＣＤ、ＤＬＰ、プラズマＣＲＴ）、構成（例えば縦長又は横長）、又は形状（例えば多角形、湾曲、曲線）である。出力ディスプレイ１０８は、相手先商標製品製造業者（ＯＥＭ）が搭載したディスプレイ、アフターマーケットのディスプレイ、又は任意のソースからの出力ディスプレイである。出力ディスプレイは、組み込みディスプレイ（例えば、制御システム等の車両システム、部品、又は構造物に組み込まれたディスプレイ）又は他の任意の構成を有するディスプレイである。
【００３０】
図２において、４つの異なるモバイルデバイス、すなわち第１モバイルデバイス１２１、第２モバイルデバイス１２２、第３モバイルデバイス１２３、及び第４モバイルデバイス１２４が概略的に示される。モバイルデバイス１２１、１２２、１２３、１２４は、通信システム１０６に接続された又は接続可能な任意数のモバイルデバイスを表す単なる手段である。例えば、メディアプレーヤ、携帯電話、ポータブル型ハンドヘルドコンピュータ、パーソナルデジタルアシスタント、スマートフォン、ナビゲーションデバイス外部データ格納デバイス等のハンドヘルド／モバイルデバイスである。
【００３１】
図３において、ディスプレイ１０８の可能な異なる画面コンテンツが示される。当該画面コンテンツは、当該通信システムの異なる動作状態に関するモバイルデバイス１２１、１２２、１２３、１２４の優先順位づけについての情報を含む。図３の左側には、表示Ａにより表される第１動作状態に対するモバイルデバイス１２１、１２２、１２３、１２４の優先順位づけが示される。第１動作状態Ａにおいて、第２モバイルデバイス１２２が優先順位づけされる。すなわち、第２モバイルデバイス１２２は最高の優先順位を受け取っている。最高から２番目の優先順位は第１モバイルデバイス１２１に割り当てられる。最高から３番目の優先順位は第３モバイルデバイス１２３に割り当てられ、及び最高から４番目（及び当該実施例では最後）の優先順位は第４モバイルデバイス１２４に割り当てられる。図３の中央には、表示Ｂにより表される第２動作状態に対するモバイルデバイス１２１、１２２、１２３、１２４の優先順位づけが示される。第２動作状態Ｂにおいて、第４モバイルデバイス１２４が優先順位づけされる。すなわち、第４モバイルデバイス１２４は最高の優先順位を受け取っている。最高から２番目の優先順位は第１モバイルデバイス１２１に割り当てられる。最高から３番目の優先順位は第３モバイルデバイス１２３に割り当てられ、及び最高から４番目（及び当該実施例では最後）の優先順位は第２モバイルデバイス１２２に割り当てられる。図３の右側には、表示Ｃにより表される第３動作状態に対するモバイルデバイス１２１、１２２、１２３、１２４の優先順位づけが示される。第２動作状態Ｃにおいて、第４モバイルデバイス１２４が優先順位づけされる。すなわち、第４モバイルデバイス１２４は最高の優先順位を受け取っている。最高から２番目の優先順位は第２モバイルデバイス１２２に割り当てられる。最高から３番目の優先順位は第３モバイルデバイス１２３に割り当てられ、及び最高から４番目（及び当該実施例では最後）の優先順位は第１モバイルデバイス１２１に割り当てられる。図３の例において、３つの異なる動作状態Ａ、Ｂ、Ｃが概略的に示される。第１動作状態Ａは、例えば、運転者がオーディオソースからの音楽等のオーディオコンテンツを聞いている状況に対応する。優先順位がつけられた第２モバイルデバイス１２２は例えばＭＰ３プレーヤである。第２動作状態Ｂは、例えば、運転者がモバイル通信接続を介して通信する状況に対応する。優先順位がつけられた第４モバイルデバイス１２４は、例えば携帯電話である。第３動作状態Ｃは、例えば、ナビゲーションタスクが当該車両に配置されたアンテナを介してＧＰＳ信号を使用して行われる状況に対応する。優先順位がつけられた第４モバイルデバイス１２４は、例えば、ナビゲーション能力を（例えば固有に）有する携帯電話又は当該ナビゲーションタスクを行うことができるソフトウェアアプリケーションである。
【００３２】
本発明の所定の実施例のみが記載されたが、当業者であれば、本発明の他の修正例、変形例、及び可能例が本発明の広い要旨から逸脱することなく可能であることがわかる。したがって、当該修正例、変形例、及び可能例は、本発明の要旨及び範囲の中に収まると考えられ、本明細書に記載及び／又は例示された本発明の一部を形成する。よって、本明細書及び図面は、制限する意味ではなく例示する意味とみなすべきである。
【図１】
2013521182.tif 000003
【図２】
2013521182.tif 000004
【図３】
2013521182.tif 000005
【手続補正書】
【提出日】平成24年9月10日(2012.9.10)
【手続補正２】
【補正対象書類名】特許請求の範囲
【補正対象項目名】全文
【補正方法】変更
【補正の内容】
【特許請求の範囲】
【請求項１】
少なくとも第１モバイルデバイス及び第２モバイルデバイスに接続された通信システムを使用する方法であって、
前記通信システムは、少なくとも第１動作状態及び第２動作状態において動作可能であり、
前記通信システムの前記第１モバイルデバイスへの接続は前記第１動作状態において優先順位がつけられ、
前記通信システムの前記第２モバイルデバイスへの接続は前記第２動作状態において優先順位がつけられる方法。
【請求項２】
前記通信システムは車載通信システムである、請求項１に記載の方法。
【請求項３】
前記通信システムの前記動作状態に依存する前記モバイルデバイスの優先順位づけは、前記通信システム及び前記モバイルデバイスを使用することによって自動的に定義される、請求項２に記載の方法。
【請求項４】
前記モバイルデバイスの優先順位づけは、前記車両が実際に使用しているユーザに依存する、請求項２に記載の方法。
【請求項５】
前記動作状態は、前記車両の運転条件に応じて変更される、請求項２に記載の方法。
【請求項６】
前記動作状態は、ユーザが入力した情報に応じて変更される、請求項２に記載の方法。
【請求項７】
前記動作状態は、通信事象に応じて又は前記モバイルデバイスの一つの動作条件に応じて動作状態が変更される、請求項２に記載の方法。
【請求項８】
少なくとも第１モバイルデバイス及び第２モバイルデバイスに接続可能な通信システムであって、
前記通信システムは、少なくとも第１動作状態及び第２動作状態において動作可能であり、
前記通信システムの前記第１モバイルデバイスへの接続は前記第１動作状態において優先順位がつけられ、
前記通信システムの前記第２モバイルデバイスへの接続は前記第２動作状態において優先順位がつけられる通信システム。
【請求項９】
前記通信システムは車載通信システムである、請求項８に記載の通信システム。
【請求項１０】
前記車載通信システムは前記車両に固定的にビルトインされる、請求項９に記載の通信システム。
【請求項１１】
前記車載通信システムは、相手先商標製品製造業者（ＯＥＭ）によって車両に固定的にビルトインされる、請求項９に記載の通信システム。
【国際調査報告】
2013521182.tif 000006
2013521182.tif 000007
2013521182.tif 000008